(57)【特許請求の範囲】
【請求項１】
両面側にカット模様（２），（３）を凹設し、両面側のカット模様（２），（３）が断面内のラップ部分において一側から他側に透視部分（９）を有すると共に、両面側のカット模様（２），（３）が重なり合う複合模様を形成した両面カット模様付の木板材において、少なくとも片面側のカット模様（２）が平行に凹設された多数の凹溝（６）からなり、他面側のカット模様（３）が上記片面側の複数の凹溝（６）と交差してラップする凹溝（６ａ）からなり、該他面側の凹溝（６ａ）に囲まれて形成され前記片面側の複数の凹溝（６）とラップする大きさで且つ前記片面側のカット模様（２）とは異なる形状の他面側の凸状部（５ａ）を他面側に複数点在させてなる両面カット模様付木板材。
【発明の詳細な説明】
【技術分野】
【０００１】
本発明は、板材の表面側と裏面側に凹溝を形成し透視部分を有した両面カット模様付木板材に関する。
【背景技術】
【０００２】
従来、桧や楠木，ヒバ等の木材からなる板材に、縦方向の凹溝を鋸目によって表面側と裏面側から交互に刻設することにより表面に凹凸加工を施し、板厚の深部から素材の芳香を発散させる建築用，家具等の機能性パネルは、特許文献１で示されるように既に公知である。
上記のような木材で形成される機能性パネル（凹凸模様付板材）は、例えば桧の精油成分に含まれる香りによって、人に爽快感や自然感を与えストレスを低減し快眠を促すと共に、ダニや白蟻等の活力を奪い被害を抑制することが知られている。
【特許文献１】特開２００４−１４９８号公報
【発明の開示】
【発明が解決しようとする課題】
【０００３】
上記特許文献１で示される機能性パネルは、板材の表面側と裏面側から縦方向の凹溝を交互に刻設するので、表面側と裏面側で各凹溝の間に形成される凸状部内に別の凹溝が刻設されるため、凸状部を狭くすると弱くなり割れ（折れ）易くなるので、凸状部を広幅に形成し加工が制約される欠点がある。また凹溝は縦方向の一定方向のみに形成されるので、板厚内の繊維を切断して形成される表面積を拡大することができないばかりか、板材の表面側と裏面側との通気性に欠け、芳香性等の素材成分（例えばセドロール）の放出を長期間にわたり効果的に発揮し得ない問題がある。
【０００４】
さらに上記機能性パネル材は、例えば寝具用の敷物として布団に敷いて使用しようとするとき、体重によって凹凸面が形成される幅方向には湾曲するものの、凸状部の形成方向（縦方向）への湾曲はしないため身体に馴染まず寝心地を損なう欠点がある。
また表面側と裏面側で一定方向のみの凹溝が形成される板材は、上下方向への空気の直接的な移動を妨げるため通気性を有しないで、発汗に伴う水分や布団の湿気をこもらせてしまうことによるトラブルや、長期にわたって素材成分の発散を十分に行うことができない等の問題がある。
【課題を解決するための手段】
【０００５】
上記課題を解決するために両面カット模様付木板材は、両面側にカット模様２，３を凹設し、両面側のカット模様２，３が断面内のラップ部分において一側から他側に透視部分９を有すると共に、両面側のカット模様２，３が重なり合う複合模様を形成した両面カット模様付の木板材において、少なくとも片面側のカット模様２が平行に凹設された多数の凹溝６からなり、他面側のカット模様３が上記片面側の複数の凹溝６と交差してラップする凹溝６ａからなり、該他面側の凹溝６ａに囲まれて形成され前記片面側の複数の凹溝６とラップする大きさで且つ前記片面側のカット模様２とは異なる形状の他面側の凸状部（５ａ）を他面側に複数点在させてなることを特徴としている。
【発明の効果】
【０００６】
以上のように構成される本発明によれば、板材の両面側に凹設するカット模様を断面内でラップさせることにより、ラップ部分において一側から他側に透視部分を有し表面側と裏面側の通気性を備えた模様付板材にすることができ、両面側の複合模様による意匠性を備え、透視部分による通気性並びに透光性を有する機能性パネルとして種々の用途に利用することができる。また木材の表面積を拡大し芳香成分等の発散を促進することができる。
【０００７】
板材の少なくとも片面側に対し多数の凹溝を形成することにより、凹溝と凸状部を連続させた筋条の凹凸模様を意匠性を有して形成することができ、また板材の表面積を強度を損なうことなく拡大することができる。また板材の他面側に例えば菱形や円形等のカット模様を形成すると、筋条の凹凸模様と複合した意匠性の高い模様付板材を簡単に製作することができる。
【０００８】
板材に多数の凹溝を平行させて形成することにより、凹溝と凸状部からなる筋条の凹凸模様によって湾曲を自由にすることができる。これにより模様付板材を寝具類や椅子等の湾曲性を備えた敷物や壁材等に利用することができる。
【０００９】
板材の両面側に交差する方向に形成される凹溝は、クロス模様を形成しクロス部に透視部分を形成するので、クロス模様による意匠的美観と通気性を備えることができる。これにより板材内部の芳香成分等の発散を確実にすると共に、板材の両面側の通気を行う模様付板材にすることができ、建築用，家具等の機能性パネル或いは置物等の構成部材として利用することができる。また模様付板材は凹溝の板底を薄く形成することができ、透光性を高めて光を利用した機能性パネルとして意匠性を高めることができる。
【発明を実施するための最良の形態】
【００１０】
以下図示する本発明の実施形態について説明する。図１は本発明に係わる両面カット模様付板材（以下単に模様付板材と言う）を布団の上に敷く寝具用の敷物として利用した第１実施形態の斜視図である。図２は図１の模様付板材１のコーナー部におけるカット模様の構成を示す拡大斜視図である。図３は模様付板材１の中途部を破断して示す斜視図であり、図４は図１の部分平面図、図５は図４のＡ−Ａ線断面図である。
【００１１】
上記第１実施形態の模様付板材１は、布団と略等しい大きさの長方形状に形成され、就寝時の体重を支持する強度を有し且つ敷物として使用し易い厚さ（２０〜５０ｍｍ程度）を有した布団用の敷物１ａを構成している。この敷物１ａは所定単位毎の大きさに形成された複数の桧板材を接合してなり、板材の両面側に表側凹凸面（カット模様）２と裏側凹凸面（カット模様）３を凸状部５と凹溝６によって形成している。
【００１２】
また表側凹凸面２と裏側凹凸面３のカット模様は、断面内で凹溝６と凹溝６ａをラップさせ、ラップ部分において後述する透視部分９を形成し表面側と裏面側の通気性を備えた模様付板材１を構成する。これにより模様付板材１は表面積が拡大され、例えば桧材特有の芳香成分等の発散を促進し、且つ両面側のカット模様が意匠性に優れた複合模様として外観することができる。そして、透視部分９及び凹溝６による通気性並びに透光性を備えた機能性パネルを構成することができる。
【００１３】
即ち、図１〜図５で示すように模様付板材１は、桧板材の表面側の縦方向に所定の刃厚を有する図示しない回転鋸盤によって所定の深さで溝切削加工を行うことにより、素材の強度を確保する厚さの板底７を残して凹溝（縦溝）６が形成される。そして、鋸盤による溝切削を全横幅に対し所定の溝ピッチを有して行うことにより、隣接する凹溝６の間に凸状部５を筋条に形成して、横幅方向の表側凹凸面２が構成される。
【００１４】
また板材の裏側において、鋸盤を凹溝６とクロスする方向（横方向）に移動させ前記と同様に所定の深さで溝切削することにより、上板底７ａを残して下向きの凹溝（横溝）６ａと凸状部５ａが形成され、縦幅方向の裏側凹凸面３を構成することができる。
これにより板材の表側と裏側の略全面に、縦方向の凸状部５と横方向の凸状部５ａとが各凹溝６と凹溝６ａを介して平面視で交差するように形成される。
【００１５】
このとき表側凹凸面２の凹溝６と裏側凹凸面３の凹溝６ａとは、縦方向及び横方向で互いに直交状になり、また互いの溝深さを上下方向で重なる関係にラップさせて切削形成される。これにより図３で示すように模様付板材１の厚さ方向（断面）の中途部に、縦方向と横方向の凹溝６と凹溝６ａによって角柱状の支柱部９ａが形成され、該支柱部９ａによって凸状部５と凸状部５ａが連結支持された状態になり、また図４で示すように凹溝６と凹溝６ａとがラップする位置には透視部分（通気孔）９が形成される。
【００１６】
図示例の板材の表面側と裏面側の各側辺に隣接する凹溝６，６ａは、各溝条ピッチより広幅に形成した側辺部１０を設けた位置から切削形成している。これにより模様付板材１の側辺に形成される側辺部１０は、凹溝６，６ａのピッチで形成される凸状部５，５ａより広幅となり、側辺にかかる大きな負荷や衝撃から内側の凸状部５，５ａを強度を有して保護することができる。
【００１７】
以上のように構成される模様付板材１は、桧板材の表側凹凸面２と裏側凹凸面３に所定の深さとピッチで形成される縦方向の凹溝６と、横方向の凹溝６ａを互いにラップさせることにより、凸状部５と凸状部５ａは支柱部９ａを介し連なる状態で形成され且つラップ部分で透視部分９を形成することができる。従って、支柱部９ａは溝空間で囲われた状態となり板厚内の空気と接触する表面積を拡大し、また表面側と裏面側の上下方向の直接的な通気を透視部分９によって可能にする。
【００１８】
そして、板材表面積が全面において均質的に増大された模様付板材１は、桧成分の放出を良好に行うことができ、上下方向の通気性を有して広く発散させることができる。
さらに模様付板材１は、上下の凸状部５と凸状部５ａを複数の支柱部９ａを介して交差方向に連結するので、強度を有しながら上下方向から加わる負荷に対応し素材の靱性を有してしなやかに湾曲することができる。
【００１９】
従って、模様付板材１からなる敷物１ａは、布団１１の上に敷いて使用されるとき、身体の形状に適応して湾曲することができ、且つ弾力性によって復元するので寝心地等の感触をよくすることができる。さらに模様付板材１は木の繊維が凹溝６，６ａによって縦横に切断されるので、例えば元曲がり材や間伐材のように木の乾燥に伴う収縮（内部応力）の変化が大きい材料であっても、変形（板の狂い）を防止して使用することができる。
また桧成分の放出を長期間にわたって持続すると共に、木材の吸湿性を備え上下方向の通気性を有するので、発汗や湿気による蒸れを低減することができ、また快眠性を高めることができる等寝具用の敷物１ａとして好適化する。
【００２０】
また模様付板材１は凹溝６，６ａによって形成される隙間の任意箇所に、芳香剤や消臭材及び必要とされる薬剤や触媒等（付加物）を直接的に装着するか、或いはこれらを図８で後述する帯状又は袋状の入れ物（装着物）１８に収容した状態で挿入することができる。この場合に装着物１８は、外観の意匠性を損なうことなく凸状部５，５ａの表面から大きく突出させないで挿入し支持することができる。
【００２１】
尚、桧材からなる模様付板材１に対する添加剤は、例えば桧エキス（精油）を主成分にした芳香剤或いはハーブ等の成分であること、及び頭部が位置する箇所に埋め込み等の適宜な装着手段によってセットされることが好ましい。また液状の添加剤等付加物は噴霧又は塗布等の手段によっても簡単に含浸保持させることができる。
【００２２】
さらに図２で示すように凹溝６，６ａは、任意箇所に芳香拡散調整材８を挿入することにより、芳香拡散調整材８の本数並びに挿入量を調節し溝面積を増減調節することができる。これにより敷物１ａの使用初期には芳香拡散調整材８を多量に設けて芳香拡散を抑制保持し、且つ後日時間の経過に応じて徐々に外すことにより保持された香りを発散し、長期間に渡って板材の芳香成分を維持することができる。この芳香拡散調整材８は板材と同質の桧板材を溝内に挿入保持される幅と長さで形成することが好ましいが、竹やプラスチック材等によって構成することもできる。
【００２３】
上記のように構成し使用される模様付板材１は寝具用の上敷物に限定することなく、布団１１の下敷きとして畳や床に敷設することもできる。この場合には通気性を有して布団１１を湿気から保護することができる。また模様付板材１の長さや幅を選定し押入スペース内で隣接する布団を仕切る仕切板や、押入の底板や壁の仕切板としても好適に利用することができ、また凹溝６，６ａ内に防虫剤等を保持することができる。さらにタンスのひきだしの中の適所に敷設又は張設して使用することもできる。また模様付板材１は形状を変更することにより座布団の代用品として、また足載せ用のマット品として使用することができる。尚、マット品とする場合には、表面の凹凸模様を粗くしたり指圧用の突起物を付加することが望ましく、この場合には人体の接触部分に対する指圧作用及びマット意匠性を高めることができる。また模様付板材１に複数の支脚部を設けた客踏み板（踏み台）として用いるような場合に、スリット内に溜まり易い塵類は、透視部分９から落下するので簡単に掃除をすることができる。
【００２４】
次に図６〜図１６に示す模様付板材１の各実施形態について説明する。尚、第１実施形態のものと同様な構成及び作用については説明を省略する。先ず図６で示す第２実施形態の模様付板材１は、住宅用の建具例えば戸板やドア，間仕切壁，衝立や屏風，壁パネル、欄間等（以下単に建具類と言う）の枠体１２に対する使用例を示す。図示例の模様付板材１は上記各用途に対応して構成される枠体１２の各収納部１３内に着脱可能に取付支持される大きさと形状として製作され、必要により付加物が設けられる。
【００２５】
図６の枠体１２は複数の外枠杆１５を方形状に接続して外枠を形成し、左右上下の外枠杆１５に所定の間隔を有し、複数の縦組子１６と横組子１７を格子状に組み付けることにより、各組子１６，１７で囲まれた収納部１３を構成している。この収納部１３は対向する縦組子１６の内側面に案内溝１９を凹入形成し、該案内溝１９に沿って模様付板材１を上方から挿脱可能に挿入し装着支持することができる。
【００２６】
以上のように枠体１２にセットされた模様付板材１は、表側凹凸面２及び裏側凹凸面３によるカット模様の意匠的美観を呈し、且つ素材の芳香性等を発揮すると共に、凹溝６，６ａによる通気性を備えた機能性パネルとして建具類を構成することができる。
【００２７】
次に図７に示す第３実施形態について説明する。この例は様々な形状と大きさに形成された模様付板材１を、屏風（衝立）２０に対し前記枠体１２と同様な取付け手段によって装着することにより、前記したものと同様の機能性パネルを構成している。尚、図示例の屏風２０は他方の枠体１２に対し縦長形状の複数枚の模様付板材１を隣接させて装着している。
さらに上記のように使用される模様付板材１は、装着物１８を図８で示すように模様付板材１の裏側凹凸面３に収納設置している。
【００２８】
即ち、模様付板材１の裏側凹凸面３に対し装着物１８を装着する場合には、該裏側凹凸面３の板底７及び支柱部９ａを収納スペースの大きさと形状に一部削除することにより、裏側凹凸面３内に凹入形成された装着物設置部２１を簡単に構成することができる。
そして、装着物設置部２１は装着物１８を挿入セットした状態で、通気性を有する板状のカバー体２２によって開閉可能に覆う構成とすることが好ましい。
この構成からなる模様付板材１は、通気性を有すると共に多量の装着物１８をセットすることができ、自身が有する芳香拡散機能等に合わせ装着物１８が有する芳香性、及び活性炭や脱臭剤を収容した場合に脱臭や空気浄化等の機能を発揮させることができる。また模様付板材１は例えば家屋に形成される塗り壁等の区画された壁面に対し、着脱自在に取付けて覆う構成にすることもできると共に、腰板用品としても簡単に使用することができる。
【００２９】
次に図９，図１０で示す第４実施形態について説明する。この模様付板材１は表側凹凸面２を第１実施形態と同様に複数の凹溝６を平行状に切削して形成し、裏側凹凸面３を斜め方向に互いに交差する複数の凹溝６ａを切削して形成している。
これによる模様付板材１は、表面側から縦方向の凹溝６内で凹溝６ａがラップ（交叉）する位置に斜め方向の透視部分９が点在した状態で見え、裏面側からは菱形状の凸状部５ａが点在し、各凸状部５ａ間の凹溝６ａ内に透視部分９と凸状部５が見え、全体として複合模様の意匠性を外観することができる。
【００３０】
次に図１１で示す第５実施形態について説明する。この模様付板材１は表側凹凸面２を上記第４実施形態と同様のカット模様とし、裏面側にリング状の曲線をなす複数の凹溝６ａを所定の配置を以て切削した裏側凹凸面３を形成している。
これによる模様付板材１は、表面側からは縦方向の凹溝６内で凹溝６ａがラップ交差する位置に透視部分９がリング状に外観でき、また裏面側からは円形状の凸状部５ａとリング状の凹溝６ａ内に縦方向の凸状部５と凹溝６が外観される。
【００３１】
このように板材の両面側に切削する凹溝６と凹溝６ａの形状を異ならせて組み合わせることにより、表側凹凸面２と裏側凹凸面３のカット模様によって多様な複合模様を生み出すことができる。従って、模様付板材１を欄間や明かり窓等各用途に相応しいデザインにすることができると共に、透視部分９の変化ある形状及び透光性によっても意匠性を高めることができる。
【００３２】
次に図１２〜図１４で示す第６実施形態について説明する。この模様付板材１は表側凹凸面２を第１実施形態と同様に複数の凹溝６を縦方向に平行状に切削したカット模様を形成し、裏側凹凸面３のカット模様は表側凹凸面２と同様の複数の凹溝６を縦方向に平行状に切削し、且つ横方向の凹溝６ａを粗間隔を有して切削することにより、広幅な凸状部５ａを形成する。
【００３３】
このとき図１４で示すように上記各凹溝６ａは、裏側凹凸面３の凹溝６とラップする深さに切削され、ラップ部分に透視部分９を形成することができる。
２５は板材の外周面に沿って凹入形成される連結溝であり、板厚の略中央部に角溝状に切削され、連結用の角棒材からなる連結部材２６を挿脱可能に挿入することができる。
【００３４】
以上のように構成される模様付板材１は図１２で示すように複数枚のものを、例えば１畳分程度の大きさになるように並べて連結することにより、床面の敷物１ａとして簡単に構成することができる。また模様付板材１は椅子やベッドの通気性を有する座板や床板として新規なデザインを創出することができる。
即ち、図示例の敷物１ａは隣接する模様付板材１を長手方向の各連結溝２５に連結部材２６を挿入して接続し、且つ接続された各模様付板材１の側面を、その隣接する各連結溝２５に縦外枠杆２７に突出形成した連結部２９を挿入して接続している。また両側の縦外枠杆２７の両端は短い横外枠杆２７ａの連結部２９を最外側の模様付板材１の連結溝２５に挿入させた状態で連結固定する。
【００３５】
以上のように構成することにより、各模様付板材１が連結溝２５及び連結部材２６からなる連結構造によって接続され、且つ各側辺部を縦外枠杆２７と横外枠杆２７ａによって連結されるので、広い平坦面状の表側凹凸面２と裏側凹凸面３を一連に形成する敷物１ａを剛体構造で構成することができる。
【００３６】
この敷物１ａは裏面側にも表面側と同様のカット模様を形成するので、床面との接触面積を低減しながら各凹溝６によって通気性を高めることができる。また両面に多数の凹溝６及び凸状部５を形成すると共に、裏面側から凹溝６ａを粗間隔に設けて繊維を切断するので、板材の曲がり等の変形を防止することができる。また芳香拡散性及び意匠性に優れた敷物１ａとして好適化させることができる。尚、この敷物１ａも装着物１８や付加物等を前記と同様必要により設けることができる。
【００３７】
次に図１５で示す第７実施形態について説明する。この模様付板材１は第１実施形態のものと同様なカット模様からなる表側凹凸面２と裏側凹凸面３を有し、枕３０の上面を覆って敷設される形状で使用する敷物１ａとしている。これによれば使用者が頭部を模様付板材１に載せると、該模様付板材１の凸状部５と凹溝６とからなる凹凸面が頭部を弾力性を有して支持し、頭皮に適度な触覚刺激を付与すると共に、枕３０内の熱のこもりを防止することができる。
【００３８】
また表側凹凸面２と裏側凹凸面３に凹溝６と凹溝６ａを筋状に形成した模様付板材１は、頭部が位置する箇所の形状に応じて撓み易いので、芳香性と共に快適な寝心地を提供し快眠性を高めることができる。尚、模様付板材１と枕３０はネット状の布材からなる枕カバーで一体的に覆って用いることが望ましい。また模様付板材１はクッション性を有するプラスチック材からなるベース材に、貼着したり埋め込み固定することもできる。
【００３９】
次に図１６で示す第８実施形態について説明する。この模様付板材１は上記第７実施形態のものと同様なカット模様からなり、枕台３１の上部に可撓性を有して載置されることにより、全体として枕３０を構成し使用される。
図示例の枕台３１は台板３２の両側において支持片３３，３３を所定の支持間隔を有して立設し、４隅の支持片３３に模様付板材１を載置して使用する構成となっている。
【００４０】
この枕３０は頭部重量によって頭部を支持する模様付板材１の中央部が、前後の支持片３３，３３で形成される窪み内に湾曲状に撓むので、頭部を弾力性を有して柔らかく支持することができる。このとき模様付板材１は各支持片３３によって遊動自在に位置決めし支持されるので、自由な撓みが妨げられない等の特徴がある。尚、模様付板材１と枕台３１は前記と同様な枕カバーによって一体的覆うことにより、両者の分離を防止して使用することができる。また可撓性を有する模様付板材１は、曲面を必要とする壁面部材や天井部材或は工芸品等にも便利に使用することができる。
【００４１】
次に図１７で示す第９実施形態について説明する。この実施形態は複数の模様付板材１を周方向に組み合わせて接続することにより、所定形状の内部空間を有する筒体又は半筒体からなる筒状体３５を形成する例を示す。図示例の筒状体３５は透光性を有した意匠性の高い置物に兼用できるスタンド３６を構成している。この場合には筒状体３５の上下端面にそれぞれ天板３７と底板３８を設け、該底板３８又は天板３７にランプ３９を設けることができる。
【００４２】
これによれば複数の模様付板材１を組み合わせることにより、意匠的美観を有する置物等に相応しい筒体周面のカット模様から、芳香性等の素材特性を周囲に確実に放出することができる。また筒体内にランプ３９を設けてスタンドやランプガード等を構成するとき、模様付板材１は通気性を有するので放熱性に優れ、また凹溝６，６ａを深く切削することにより各板底を薄くすることができるので、透光性を様々に且つ簡単に調節することができ、且つ木目の美しさを表すことができる等の利点がある。
【００４３】
さらに透視部分９を有する筒状体３５は、板厚と同じ深さの透視部分９を有して明かりを透すので、外側から該透視部分９を見る角度によって明かりを視認する程度を異にするため、恰も模様が変化しているように外観することができる等の特徴がある。また十分な可撓性を有する模様付板材１を用いることにより、湾曲させ丸めた表面を有する筒状体３５を簡単に形成することもできる。また筒状体３５の内外には、和紙や布等の通気性を有する膜部材を張設すると、模様付板材１と膜部材を合成し意匠性を高めることができる。
【００４４】
尚、図１３の点線で示すように模様付板材１は、細幅に形成した複数のものを、布幕類４０又は紐類４１で適当間隔を有して連接固定することにより、巻き取り収納可能な敷物や簾状品を簡単に製作することができる。この場合に紐類４１は凹溝６ａ内に張設固定することができるので、紐類４１を表面に露出させることなく保護した状態で設けることができる。
【００４５】
以上各実施形態で示すように使用することができる模様付板材１は、その表面に形成される凹溝６，６ａを一定の直線に限ることなく任意の曲線で形成することもでき、また断面形状も図示例のもののように板面に直交させることなく、例えば凸条の両側面が板面に略平行状に斜交する斜面や、ハ字状又はＶ字状に交差する斜面にすることもできる。また凸状部５，５ａの先端頭部の形状は半円弧状面や、先鋭な形状にすることができるので、美観や肌との接触感を製品の仕様に対応し簡単に仕上げることができる。
【００４６】
また任意な大きさと形状に形成される模様付板材１には、凹溝６，６ａ及び透視部分９が全面に略均一に形成されるので、装飾用板材として用いるとき、透視部分９の孔を利用し、孔に例えば花やランプ等別の装飾物の挿入や嵌め込み支持を簡単に行うことができる。また模様付板材１は、凹溝６，６ａ或は透視部分９に着脱自在に嵌合する取付脚を有する図示しない支持部材によっても、装飾物を簡単に取付支持することができる。
【００４７】
また木材で構成した模様付板材１は、水や湯に浸漬すると内部の芳香成分をより持続的に発散するので、活け花や装飾物の背景用品として用いるとき、板材の一部を水に浸した状態で立設することが望ましい。さらに模様付板材１は浴槽で
湯に浮かべて使用する玩具や子供の教材用品又は入浴用の椅子や敷板にするとき、芳香成分を発揮することができる。この際模様付板材１は、スリットや透視部分９によって浮力が小さくなるので、沈み量を簡単に選択することができ使用し易くすることができる等の特徴がある。
【００４８】
さらに模様付板材１は種々の大きさや形状のものを複数枚セットして、使用者が自由に加工し組み立て用いるようにすることもできる。この場合使用者は通気性を有する包装箱や収納箱、障子やドア等の建具の中に組み付けたり貼り付ける装飾物、冷蔵庫内の敷板や仕切壁、その他棚板や敷物等に所望の形態で使用することができる。
また模様付板材１は表面に、紙、布、フイルム又は異なる材質の板材等の付加物を貼着部材として貼り付けて使用することもできる。この際貼着部材には芳香剤や薬剤或は抗菌剤、光触媒等を用途に応じ選択し、塗布又は含浸させたり、またイグサ模様等適宜な模様をつけて用いることができる。
【００４９】
尚、貼着部材は加工前の板材に貼着した状態で、共にスリット加工を行い模様付板材１に仕上げることが望ましい。また模様付板材１は天然木材の他に合成木材やプラスッチック材によっても簡単に製作することができ、この場合には素材中に芳香剤等を混入することが望ましいものである。
【図面の簡単な説明】
【００５０】
【図１】本発明の第１実施形態に係わる模様付板材を布団に敷設した状態を示す全体斜視図である。
【図２】図１の模様付板材のコーナー部の構成を示す拡大斜視図である。
【図３】図１の模様付板材の断面構造を示す斜視図である。
【図４】図１の模様付板材の部分拡大斜視図である。
【図５】図４のＡ−Ａ線断面図である。
【図６】本発明の第２実施形態に係わる模様付板材を枠体に装着する状態を示す斜視図である。
【図７】本発明の第３実施形態に係わる模様付板材を屏風に装着した状態を示す斜視図である。
【図８】模様付板材に装着物を装着する構造を示す断面図である。
【図９】本発明の第４実施形態に係わる模様付板材の部分正面図である。
【図１０】図９の背面図である。
【図１１】本発明の第５実施形態に係わる模様付板材の部分正面図である。
【図１２】本発明の第６実施形態に係わる模様付板材によって構成した敷物を示す斜視図である。
【図１３】図１２の模様付板材の形状を示す部分斜視図である。
【図１４】図１３の模様付板材の構成を一部破断をして示す側面図である。
【図１５】本発明の第７実施形態に係わり、模様付板材によって構成した枕の敷物を示す斜視図である。
【図１６】本発明の第８実施形態に係わり、模様付板材と枕台によって構成した枕を示す斜視図である。
【図１７】本発明の第９実施形態に係わり、模様付板材によって筒状体を形成しスタンドを構成した使用例の斜視図である。
【符号の説明】
【００５１】
１    模様付板材
１ａ  敷物
２    表側凹凸面（カット模様）
３    裏側凹凸面（カット模様）
５，５ａ  凸状部
６，６ａ  凹溝
７    板底
７ａ  上板底
９    透視部分
９ａ  支柱部
１１  布団
１２  枠体
１３  収納部
２０  屏風
３０  枕
３６  スタンド
【図１】
0004796912.tif 000002
【図２】
0004796912.tif 000003
【図３】
0004796912.tif 000004
【図４】
0004796912.tif 000005
【図５】
0004796912.tif 000006
【図６】
0004796912.tif 000007
【図７】
0004796912.tif 000008
【図８】
0004796912.tif 000009
【図９】
0004796912.tif 000010
【図１０】
0004796912.tif 000011
【図１１】
0004796912.tif 000012
【図１２】
0004796912.tif 000013
【図１３】
0004796912.tif 000014
【図１４】
0004796912.tif 000015
【図１５】
0004796912.tif 000016
【図１６】
0004796912.tif 000017
【図１７】
0004796912.tif 000018